(57)【要約】【課題】運動用パネルの壁面への取り付け及び壁面からの取り外しが容易であるにも関わらず、運動用パネルが、使用中であっても壁面に取り付けられた状態に安定して維持される運動用パネルの取付構造及びそのような取付構造を備える運動装置を提供すること。【解決手段】パネル本体３１と、パネル本体３１の表面側に配置される手掛かり又は足掛かりとすることが可能な複数のホールド３２と、を備える、壁面６への運動用パネル３の取付構造１であって、下側に開口する溝部２１を有し且つ壁面６に固定される上レール２を備え、運動用パネル３は、パネル本体３１の上端側が溝部２１に送り込まれて壁面６に取り付けられる。【選択図】図１
2016087193.tif 000002
【特許請求の範囲】
【請求項１】
パネル本体と、前記パネル本体の表面側に配置される手掛かり又は足掛かりとすることが可能な複数の突起部と、を備える、壁面への運動用パネルの取付構造であって、
下側に開口する溝部を有し且つ壁面に固定される上レールを備え、
前記運動用パネルは、前記パネル本体の上端側が前記溝部に送り込まれて前記壁面に取り付けられる運動用パネルの取付構造。
【請求項２】
前記上レールは、前記溝部の内部と前記上レールの上方とを連通する孔部を有し、
前記運動用パネルは、前記上レールの上方から前記孔部を介して前記パネル本体の上端に締結される締結部材を更に備える請求項１記載の運動用パネルの取付構造。
【請求項３】
前記運動用パネルは、前記パネル本体の下端に接続され、高さ調節可能な脚部を更に備える請求項１又は２に記載の運動用パネルの取付構造。
【請求項４】
下側に開口する溝部を有し且つ壁面に固定される上レールと、
上端側が前記溝部に送り込まれるパネル本体と、前記パネル本体の表面側に配置される手掛かり又は足掛かりとすることが可能な複数の突起部と、を備える運動用パネルと、を備える運動装置。
【請求項５】
磁性材料を含む玩具を更に備え、
前記パネル本体は、表面側に配置され且つ前記磁性材料を含む玩具が着脱可能な材料で構成される表面層を有する請求項４記載の運動装置。
【発明の詳細な説明】
【技術分野】
【０００１】
本発明は、運動用パネルの取付構造及び運動装置に関する。
【背景技術】
【０００２】
従来、壁面にホールドと呼ばれる突起部を設け、そのホールドを手掛かり又は足掛かりとすることで壁面を移動するスポーツが知られている。このスポーツは、一般にボルダリングと呼ばれる。
【０００３】
ボルダリングを行うためには、屋内又は屋外の壁面にホールドを取り付けた専用の設備・施設を利用する場合がある。一方、壁面に取り付けることができる、ホールドを設けた運動用パネルを壁面に取り付けた運動装置を用いてボルダリングを行う場合もある（例えば、特許文献１及び２参照）。このような運動装置を用いれば、ボルダリングを行わない時には、パネルを取り外すこともでき、スペースを有効活用することができる。
【先行技術文献】
【特許文献】
【０００４】
【特許文献１】特開２０１１−７８６９４号公報
【特許文献２】実開平４−７８６８号公報
【発明の概要】
【発明が解決しようとする課題】
【０００５】
ところで、特許文献１及び２において開示されている運動装置は、ホールドを設けた運動用パネルをビスによって直接的に又は間接的に壁面に固定している。このような取付構造では、運動用パネルが使用中に転倒してしまう可能性は低いが運動用パネルの壁面への取り付け及び壁面からの取り外しが煩雑になってしまう。
【０００６】
本発明は、上記課題に鑑みてなされたものであり、運動用パネルの壁面への取り付け及び壁面からの取り外しが容易であるにもかかわらず、運動用パネルが、使用中であっても壁面に取り付けられた状態に安定して維持される運動用パネルの取付構造及びそのような取付構造を備える運動装置を提供することを目的とする。
【課題を解決するための手段】
【０００７】
本発明は、パネル本体（例えば、後述のパネル本体３１）と、前記パネル本体の表面側に配置される手掛かり又は足掛かりとすることが可能な複数の突起部（例えば、後述のホールド３２）と、を備える、壁面（例えば、後述の壁面６）への運動用パネル（例えば、後述の運動用パネル３）の取付構造（例えば、後述の取付構造１）であって、下側に開口する溝部（例えば、後述の溝部２１）を有し且つ壁面に固定される上レール（例えば、後述の上レール２）を備え、前記運動用パネルは、前記パネル本体の上端側が前記溝部に送り込まれて前記壁面に取り付けられる運動用パネルの取付構造に関する。
【０００８】
また、前記上レールは、前記溝部の内部と前記上レールの上方とを連通する孔部（例えば、後述の孔部２２）を有し、前記運動用パネルは、前記上レールの上方から前記孔部を介して前記パネル本体の上端に締結される締結部材（例えば、後述の締結部材３３）を更に備えることが好ましい。
【０００９】
また、前記運動用パネルは、前記パネル本体の下端に接続され、高さ調節可能な脚部（例えば、後述の脚部３４）を更に備えることが好ましい。
【００１０】
また、本発明は、下側に開口する溝部（例えば、後述の溝部２１）を有し且つ壁面（例えば、後述の壁面６）に固定される上レール（例えば、後述の上レール２）と、上端側が前記溝部に送り込まれるパネル本体（例えば、後述のパネル本体３１）と、前記パネル本体の表面側に配置される手掛かり又は足掛かりとすることが可能な複数の突起部（例えば、後述のホールド３２）と、を備える運動用パネル（例えば、後述の運動用パネル３）と、を備える運動装置（例えば、後述の運動装置１０）に関する。
【００１１】
また、運動装置は、磁性材料を含む玩具（例えば、後述のトランプカード４）を更に備え、前記パネル本体は、表面側に配置され且つ前記磁性材料を含む玩具が着脱可能な材料で構成される表面層（例えば、後述の表面層３１４）を有することが好ましい。
【発明の効果】
【００１２】
本発明によれば、運動用パネルの壁面への取り付け及び壁面からの取り外しが容易であるにもかかわらず、運動用パネルが、使用中であっても壁面に取り付けられた状態に安定して維持される運動用パネルの取付構造及びそのような取付構造を備える運動装置を提供できる。
【図面の簡単な説明】
【００１３】
【図１】本発明の一実施形態に係る運動装置の使用状態を示す図である。
【図２】上記実施形態に係る運動装置の正面図である。
【図３】上記実施形態に係る運動装置の縦断面図である。
【図４】上記実施形態に係る運動装置の縦断面図であり、図３の上レールの拡大図である。
【図５】上記実施形態に係る運動装置の横断面図である。
【図６】図２のＡ−Ａ線断面図である。
【図７】図２のＢ−Ｂ線断面図である。
【図８】上記実施形態に係る運動装置の備えるカードを示す図である。
【図９】上記実施形態に係る運動装置の使用状態の変形例を示す図である。
【発明を実施するための形態】
【００１４】
以下、本発明の一実施形態について図面を参照しながら説明する。
図１は、本発明の一実施形態に係る運動装置１０の使用状態を示す図である。運動装置１０は、運動用パネル３の取付構造１を備える。運動用パネル３の取付構造１については、後段で詳述する。
図１に示すように、運動装置１０を使用してボルダリングを行うプレーヤーＰは、運動用パネル３の備える後述のホールド３２を手掛かり又は足掛かりとして壁面に沿って上下方向及び左右方向に移動する。プレーヤーＰは、ホールド３２を手でつかみ損なう又は足で踏み損なうことでバランスを崩して落下した場合、運動装置１０の下の床面に配置されたマット５上に着地する。このように、マット５はプレーヤーＰの安全を確保する。
【００１５】
＜運動用パネルの取付構造＞
続いて、運動用パネル３の取付構造１について詳細に説明する。図２は、運動装置１０の正面図である。図３は、運動装置１０の縦断面図である。図４は、図３の上レール２の拡大図である。図５は、運動装置１０の横断面図である。図６は、図２のＡ−Ａ線断面図である。図７は、図２のＢ−Ｂ線断面図である。
図２に示すように、運動用パネル３の取付構造１は、上レール２を備える。
【００１６】
上レール２は、図２から図４に示すように断面コ字状の長尺部材であり、下側に開口する溝部２１と、溝部２１の内部と上レール２の上方とを連通する孔部２２と、を有する。上レール２は、壁面６に締結部材１１によって取り付けられる上レール固定部材１２に、締結部材１３により取り付けられることで、壁面６に固定される。壁面６における上レール２の固定される高さは、後述する運動用パネル３の高さと略等しい。
【００１７】
運動用パネル３は、壁面沿いに複数枚（本実施形態においては４枚）並べて配置される。それぞれの運動用パネル３は、矩形板状のパネル本体３１と、パネル本体３１の表面側に配置されるホールド３２（図２、図３及び図５においては図示しない）と、パネル本体３１の上端に締結される締結部材３３と、パネル本体の下端の両端部近傍に接続される一対の脚部３４，３４と、を備える。
【００１８】
運動用パネル３は、パネル本体３１の上端側が溝部２１に送り込まれて壁面６に取り付けられる。図３に示すように、運動用パネル３が、壁面６に取り付けられ状態において、パネル本体３１の上端は、溝部２１の内部に配置されるので、パネル本体３１の厚み方向への動きが拘束される。
【００１９】
パネル本体３１は、図３及び図５に示すように、壁面側から積層される、ポリエステル化粧合板からなる裏面層３１１と、ポリウレタン製の発泡フォームからなる中間層３１２と、べニヤ板層３１３と、スチール鋼板からなる表面層３１４と、を有する。パネル本体３１は更に、図３及び図５に示すように、外周近傍に配置され裏面層３１１とべニヤ板層３１３とに挟まれるスペーサ３１５と、スペーサ３１５に打ち込まれて外周を覆うエッジ部材３１６と、を有する。
【００２０】
また、図２に示すように、パネル本体３１は、表面側の全面に亘って設けられる多数の挿通孔３１７を有する。
それぞれの挿通孔３１７は、図７に示すように、パネル本体３１の表面側から壁面側に貫通している。図７に示すように、挿通孔３１７の、内面には円筒状の補強部材３１７ａが、壁面側には爪付ナット３１７ｂが、それぞれ配置される。
【００２１】
ホールド３２は、一部の挿通孔３１７に対応する箇所に締結部材３１７ｃを用いて固定される。より詳しくは、締結部材３１７ｃの先端側が爪付ナット３１７ｂに螺合することで、ホールド３２がパネル本体３１の表面側に強固に固定される。ホールド３２のパネル本体３１側には、プレーヤーＰがホールド３２を把持した際、あるいは踏んだ際にホールド３２が回転してしまうのを防止するための滑り止めシート（図示しない）が貼り付けられる。
ホールド３２の固定に用いられない挿通孔３１７は、樹脂製のリベット３１７ｄにより埋められる。
【００２２】
締結部材３３は、樹脂製のノブ３３１とノブ３３１から延びるボルト部３３２とを有し、上レール２の上方から孔部２２を介してパネル本体３１の上端に締結される。締結部材３３は、パネル本体３１の上端に接着されて配置される化粧座金３１ａを挿通してパネル本体３１に締結される。
【００２３】
脚部３４は、いわゆるアジャスターボルトであり、高さ調節可能である。脚部３４は、図３に示すように、下側であって床面と接触する部分に配置されるエラストマーからなる滑り止め部材３４１を有する。
【００２４】
運動用パネル３の壁面６への取付方法及び壁面６からの取外し方法について説明する。
運動用パネル３の取付方法では、まず、上レール２を壁面６に固定する。この際、上レール２が固定される高さは、運動用パネル３の高さと略等しくする。続いて、パネル本体３１の上端側を溝部２１に送り込んでから、下端側を壁面６に接近させる。これにより、運動用パネル３を壁面６に沿って立設させることができる。
一方、運動用パネル３の取外し方法では、パネル本体３１の下端側を壁面６から離隔させつつ、上端部を溝部２１から引き抜く。
【００２５】
＜運動装置＞
続いて、本実施形態に係る運動装置１０について説明する。
運動装置１０は、上記の上レール２と、上記の運動用パネル３と、を備える（図２参照）。
【００２６】
図８は、本実施形態におけるトランプカード４を示す図である。
運動装置１０は、図８に示されるトランプカード４を更に備える。トランプカード４は、磁性材料からなる。トランプカード４は、パネル本体３１の表面側に配置されるスチール鋼板からなる表面層３１４に着脱可能である。
【００２７】
図９は、運動装置１０の使用状態の変形例を示す図である。
図９に示すように、運動装置１０を使用してボルダリングを行うプレーヤーＰは、ホールド３２を手掛かり又は足掛かりとして壁面に沿って移動しながら、トランプカード４を用いてカードゲームを行うことができる。トランプカード４は、パネル本体３１の表面側に貼り付けて用いられる。カードゲームとしては、裏返した状態のトランプカード４のうち、同じ数字のカードを探すゲーム（いわゆる「神経衰弱」）等が挙げられる。運動装置１０により行うカードゲームにおいては、ホールド３２を手でつかみ損なう等してバランスを崩してマット５上に着地したプレーヤーＰが、ゲームの敗者となる等のルールを適宜設定することができる。運動装置１０は、子供が体力と知力を同時に強化するために好ましく用いることができる。
【００２８】
以上説明した本実施形態に係る運動用パネル３の取付構造１及び運動装置１０によれば、以下の効果が奏される。
上記実施形態では、パネル本体３１と、パネル本体３１の表面側に配置される手掛かり又は足掛かりとすることが可能な複数のホールド３２と、を備える、壁面６への運動用パネル３の取付構造１において、下側に開口する溝部２１を有し且つ壁面６に固定される上レール２が備えられ、更に、運動用パネル３が、パネル本体３１の上端側が溝部２１に送り込まれて壁面６に取り付けられる構成とした。
これにより、上レール２を壁面６に固定し、パネル本体３１の上端側を固定した上レール２の溝部２１に送り込んでから、下端側を壁面６に接近させるだけで、運動用パネル３を壁面６に取り付けることができる。一方、壁面６に取り付けられた運動用パネル３は、パネル本体３１の下端側を壁面６から離隔させつつ、上端部を溝部２１から引き抜くだけ取り外せる。従って、上記実施形態に係る運動用パネル３の取付構造１によれば、運動用パネル３の壁面６への取り付け及び壁面６からの取り外しを容易に行える。また、運動用パネル３が壁面６に取り付けられた状態において、パネル本体３１の上端は、溝部２１の内部に配置されるので、パネル本体３１の厚み方向への動きが拘束される。従って、上記実施形態に係る運動用パネル３の取付構造１によれば、運動用パネル３が、プレーヤーＰによって使用中であっても壁面６へ取り付けられた状態に安定して維持される。更には、上記実施形態によれば、運動用パネル３を壁面６に直接固定せず上レール２を介して壁面６に取り付けているだけにも関わらず、運動用パネル３を壁面６へ取り付けられた状態に安定して維持することができる。
【００２９】
また、上記実施形態では、上レールが、溝部２１の内部と上レール２の上方とを連通する孔部２２を有するものとし、更に、運動用パネル３が、上レール２の上方から孔部２２を介してパネル本体３１の上端に締結される締結部材３３を更に備えるものとした。
これにより、運動用パネル３は、壁面６に取り付けられた状態に強く拘束され、転倒することがない。従って、上記実施形態に係る運動用パネル３の取付構造１によれば、運動用パネル３が、プレーヤーＰによって使用中であっても壁面６へ取り付けられた状態に、より安定して維持される。
【００３０】
また、上記実施形態では、運動用パネル３が、パネル本体３１の下端に接続され、高さ調節可能な脚部３４を更に備えるものとした。
これにより、運動用パネル３が壁面６に取り付けられた状態で脚部３４を長くすることで、パネル本体３１の上端側を、溝部２１のより深い位置に配置することが可能になり、運動用パネル３がより転倒し難くなる。従って、上記実施形態に係る運動用パネル３の取付構造１によれば、運動用パネル３が、プレーヤーＰによって使用中であっても壁面６へ取り付けられた状態により安定して維持される。
【００３１】
また、上記実施形態では、運動装置１０が、下側に開口する溝部２１を有し且つ壁面６に固定される上レール２と、運動用パネル３と、を備え、更に運動用パネル３が、上端側が溝部２１に送り込まれるパネル本体３１と、パネル本体３１の表面側に配置されるホールド３２と、を備えるものとした。
これにより、上記実施形態に係る運動装置１０によれば、運動用パネル３の壁面６への取り付け及び壁面６からの取り外しが容易であるにも関わらず、運動用パネル３が、プレーヤーＰによって使用中であっても壁面６に取り付けられた状態に安定して維持される。更には、上記実施形態に係る運動装置１０によれば、運動用パネル３を壁面６に直接固定せず上レール２を介して壁面６に取り付けているだけにも関わらず、運動用パネル３が壁面６へ取り付けられた状態に安定して維持される。
【００３２】
また、上記実施形態では、運動装置１０が、磁性材料を含むトランプカード４を更に備え、パネル本体３１が、表面側に配置され且つ磁性材料を含むトランプカード４が着脱可能なスチール鋼板で構成される表面層３１４を有するものとした。
これにより、プレーヤーＰが、ホールド３２を手掛かり又は足掛かりとして壁面に沿って移動しながら、トランプカード４を用いてカードゲームを行うことができる。従って、上記実施形態に係る運動装置１０によれば、運動とゲームを同時に行うことが可能である。
【００３３】
なお、本発明は上記実施形態に限定されず、本発明の要旨を逸脱しない範囲で変更・改良が可能である。
例えば、上記実施形態においては、パネル本体３１の表面層３１４がスチール鋼板からなるものとしたが、本発明は、これに限定されない。パネル本体３１の表面層３１４は、磁性材料が着脱可能な他の材料で構成してもよい。また、パネル本体３１の表面層３１４を磁性材料が着脱しない材料で構成してもよい。
【００３４】
また、上記実施形態においては、運動装置１０がトランプカード４を備えるものとしたが、本発明は、これに限定されない。運動装置１０が、トランプカード４ではない他の磁性材料を含む玩具を備える構成としてもよいし、玩具を備えない構成としてもよい。
【００３５】
また、ホールド３２は、壁面６に取り付けられた状態の運動用パネル３の備えるパネル本体３１に配置（固定）してもよいし、壁面６に取り付けられる前の運動用パネル３の備えるパネル本体３１に配置（固定）してもよい。
【符号の説明】
【００３６】
１…取付構造
１０…運動装置
２…上レール
２１…溝部
２２…孔部
３…運動用パネル
３１…パネル本体
３１４…表面層
３２…ホールド（突起部）
３３…締結部材
３４…脚部
４…トランプカード（玩具）
【図１】
2016087193.tif 000003
【図２】
2016087193.tif 000004
【図３】
2016087193.tif 000005
【図４】
2016087193.tif 000006
【図５】
2016087193.tif 000007
【図６】
2016087193.tif 000008
【図７】
2016087193.tif 000009
【図８】
2016087193.tif 000010
【図９】
2016087193.tif 000011